(57)【要約】【課題】扉体が本体の開口部を閉塞していることが検知された状態で操作部が操作された場合に、貯水部内の洗浄水を排出することができる食器洗浄機を提供する。【解決手段】運転制御部１１は、スタートスイッチ５１が操作された後、位置センサ４５により洗浄槽ユニット３６が筐体４０内の洗浄位置に収納された洗浄槽セット状態が検出されたときに、食器洗浄運転を開始する。コントローラ１０は、位置センサ４５により洗浄槽ユニット３６が収容位置にあることが検出された状態でスタートスイッチ５１が操作された場合に、洗浄槽２０の貯水部２０ａ内の水を残菜フィルタ２５及び排水管４２を介して排出するようにポンプ２６を逆回転作動する。さらに、運転制御部１１は、食器洗浄運転を中断して一時停止状態とする。【選択図】  図５
2019136193.tif 000002
【特許請求の範囲】
【請求項１】
開口部を有し、前記開口部を介して食器が収容される本体と、
前記開口部を開放する開放位置と、前記開口部を閉塞する閉塞位置との間で開閉可能な扉体と、
前記扉体が前記閉塞位置にあることを検知する閉塞検知部と、
前記扉体が前記閉塞位置にあるときに操作不能となる位置に配置された操作部と、
前記本体内に収容された食器を洗浄する洗浄水を噴出するノズルと、
前記洗浄水を貯留する貯水部と、
前記貯水部内の前記洗浄水を前記貯水部の外部に排出するポンプと、
前記ポンプの駆動を制御する制御部と、
を備えた食器洗浄機であって、
前記制御部は、前記閉塞検知部により前記扉体が前記閉塞位置にあることが検知され、且つ前記操作部が操作された場合に、前記貯水部内の前記洗浄水を前記貯水部の外部に排出するように前記ポンプを駆動することを特徴とする食器洗浄機。
【請求項２】
請求項１に記載の食器洗浄機において、
前記ポンプは、正転作動及び逆転作動可能に設けられ、前記正転作動時には、前記貯水部内の前記洗浄水を前記ノズルから噴射させ、前記逆転作動時には、前記貯水部内の前記洗浄水を前記貯水部の外部に排出し、
前記制御部は、前記閉塞検知部により前記扉体が前記閉塞位置にあることが検知され、且つ前記操作部が操作された場合に、前記ポンプを前記逆転作動させることを特徴とする食器洗浄機。
【発明の詳細な説明】
【技術分野】
【０００１】
本発明は、本体に設けられた開口部を開閉する扉体を備える食器洗浄機に関する。
【背景技術】
【０００２】
従来、システムキッチン等に設置される食器洗浄機として、開口部が設けられ、食器を収容する本体と、本体の開口部を開閉する扉体とを備えたものが知られている（例えば、特許文献１及び２参照）。
【０００３】
なお、特許文献１及び２に記載された食器洗浄機は、食器が収容される洗浄槽と、洗浄槽の前面に一体的に設けられた扉体とを備える洗浄槽ユニットが、本体に収容される位置（扉体が本体の開口部を閉塞する位置）と、本体から引き出された位置（扉体が本体の開口部を開放する位置）との間でスライド可能な引き出し式の食器洗浄機である。一方、本体の前面に設けられた開口部を、本体の前面に回転等の動作可能に設けられた開閉扉により開閉し、開閉扉を開放位置に動作させて開口部を開放することで、本体内に設置される食器かごに食器を収容可能となるフロントオープン式の食器洗浄機も広く知られている。
【０００４】
特許文献１及び２に記載された食器洗浄機では、システムキッチンとの一体感を向上させると共に、食器洗浄運転中のスイッチの誤操作を防止するために、使用者により操作されるスタートスイッチ及び設定スイッチ等の複数のスイッチを有する操作部が、洗浄槽ユニットが本体内に収容された状態では操作不能となる位置に配置されている。さらに、洗浄槽ユニットが収容位置にあること（扉体が本体の開口部を閉塞していること）を検知する検知部が備えられている。
【０００５】
そして、検知部がＯＦＦ（洗浄槽ユニットが引出位置にあり、扉体が本体の開口部を開放している状態）であるときに、使用者により設定スイッチが操作されて運転コースが選択されて、スタートスイッチが操作された後、検出部がＯＮ（洗浄槽ユニットが収容位置にあり、扉体が本体の開口部を閉塞している状態）になったときに、食器洗浄運転を開始する構成になっている。
【先行技術文献】
【特許文献】
【０００６】
【特許文献１】特許第５９９０７８０号公報
【特許文献２】特許第６１３０８２１号公報
【発明の概要】
【発明が解決しようとする課題】
【０００７】
特許文献１の食器洗浄機では、検出部がＯＮであるときに、電源スイッチやスタートスイッチが操作されたときには、検出部の誤検出が生じており、実際には洗浄槽ユニットが引き出されている（扉体が本体の開口部を開放している）と判断して、これらの操作を受け付けずにブザーによる異常報知を行っているが、食器洗浄運転中である場合には、食器洗浄機の外部に洗浄液が飛び散ってしまう。さらに、慌てた使用者が電源スイッチやスタートスイッチを操作しても、操作が受け付けられず、食器洗浄運転を停止させることができないという不都合がある。
【０００８】
特許文献２の食器洗浄機では、食器洗浄運転中で検出部がＯＮであるときに、電源スイッチやスタートスイッチが操作されたときには、検出部の誤検出が生じており、実際には洗浄槽ユニットが引き出されている（扉体が本体の開口部を開放している）と判断して、食器洗浄運転を停止することで、食器洗浄機の外部に洗浄液が飛び散るのを防止している。
【０００９】
しかしながら、特許文献２の食器洗浄機では、食器洗浄運転を途中で停止しているため、洗浄槽内には洗浄水が貯留された状態となっている。洗浄槽内に洗浄水が貯留されている場合、修理後に食器洗浄運転が再開されない限りは洗浄槽内に洗浄水が貯留されたままとなり、不衛生であった。かかる不都合は、フロントオープン式の食器洗浄機でも同様に生じるものである。
【００１０】
また、特許文献１及び２のような引き出し式の食器洗浄機では、洗浄槽ユニットを収容位置までスライドさせるときに、洗浄槽ユニットの洗浄槽内の水がこぼれてしまうことがあった。さらに、洗浄水が貯留されている洗浄槽ユニットを収容位置までスライドさせるときに、洗浄水が貯留されていない場合に比べて、洗浄槽ユニットをスライド可能に支持するスライド機構にかかる負荷が大きく、故障の原因となっていた。
【００１１】
本発明はかかる背景に鑑みてなされたものであり、扉体が本体の開口部を閉塞していることが検知された状態で操作部が操作された場合に、洗浄水を排出することができる食器洗浄機を提供することを目的とする。
【課題を解決するための手段】
【００１２】
本発明の食器洗浄機は、開口部を有し、前記開口部を介して食器が収容される本体と、前記開口部を開放する開放位置と、前記開口部を閉塞する閉塞位置との間で開閉可能な扉体と、前記扉体が前記閉塞位置にあることを検知する閉塞検知部と、前記扉体が前記閉塞位置にあるときに操作不能となる位置に配置された操作部と、前記本体内に収容された食器を洗浄する洗浄水を噴出するノズルと、前記洗浄水を貯留する貯水部と、前記貯水部内の前記洗浄水を前記貯水部の外部に排出するポンプと、前記ポンプの駆動を制御する制御部と、を備えた食器洗浄機であって、前記制御部は、前記閉塞検知部により前記扉体が前記閉塞位置にあることが検知され、且つ前記操作部が操作された場合に、前記貯水部内の前記洗浄水を前記貯水部の外部に排出するように前記ポンプを駆動することを特徴とする。
【００１３】
本発明では、操作部は、扉体が閉塞位置にあるときに操作不能となる位置に配置されているため、閉塞検知部により扉体が閉塞位置にあることが検知され、且つ操作部が操作された場合には、閉塞検知部の異常が生じており、実際には扉体が開口部を閉塞していない異常状態であると判断することができる。
【００１４】
そこで、上記異常状態である場合には、制御部は、ポンプを駆動して、貯水部内の洗浄水を貯水部の外部に排出するので、貯水部内に洗浄水が貯留されたままの不衛生な状態になることがなく、衛生的に良い状態にすることができる。
【００１５】
また、貯水部内の洗浄水をノズルから噴射させる洗浄運転が行われている場合でも、ポンプを駆動して、貯水部内の洗浄水を貯水部の外部に排出することで、貯水部内の洗浄水が全て排出されると、ノズルから洗浄水が噴射されることがなくなる。これにより、ノズルから噴射された洗浄水が、食器洗浄機の周囲に飛び散るのを防止することができる。
【００１６】
さらに、上記したような引き出し式の食器洗浄機においては、上記異常状態では、洗浄槽ユニットが本体から引き出されている状態となり、使用者は洗浄槽ユニットを本体内に収容させるようにスライドさせる。また、引き出し式の食器洗浄機では、貯水部は、扉体を備える洗浄槽ユニットに設けられている。本発明によれば、貯水槽ユニットに設けられた貯水部内の洗浄水が排出されるので、洗浄槽ユニットを本体内に収容させるようにスライドさせるときに、貯水部から水がこぼれることがなく衛生的に良い状態を保つことができる。さらに、洗浄槽ユニットに設けられた貯水部内に水が貯留されている場合に比べて、洗浄槽ユニットを本体内に収容させるようにスライドさせるときにスライド機構にかかる負荷が小さくなり、故障の発生を抑制することができる。
【００１７】
また、前記ポンプは、正転作動及び逆転作動可能に設けられ、前記正転作動時には、前記貯水部内の前記洗浄水を前記ノズルから噴射させ、前記逆転作動時には、前記貯水部内の前記洗浄水を前記貯水部の外部に排出し、前記制御部は、前記閉塞検知部により前記扉体が前記閉塞位置にあることが検知され、且つ前記操作部が操作された場合に、前記ポンプを前記逆転作動させることが好ましい。
【００１８】
この構成によれば、ポンプを正転作動させて、貯水部内の洗浄水をノズルから噴射させる洗浄運転が行われている場合でも、閉塞検知部により扉体が閉塞位置にあることが検知され、且つ操作部が操作された場合には、ポンプを逆転作動させるので、ノズルからの洗浄水の噴射が直ちに停止される。これにより、ノズルから噴射された洗浄水が、食器洗浄機の周囲に飛び散るのを直ちに防止することができる。
【図面の簡単な説明】
【００１９】
【図１】本実施形態の食器洗浄機の構成を断面により示した説明図。
【図２】図１に示した食器洗浄機の洗浄槽が引出位置にある状態の説明図。
【図３】図１に示した食器洗浄機の制御ブロック図。
【図４】図１に示した操作部の構成図。
【図５】食器洗浄運転のフローチャート。
【発明を実施するための形態】
【００２０】
本発明の食器洗浄機の実施形態について、図１〜図５を参照して説明する。
【００２１】
図１を参照して、本実施形態の食器洗浄機１は、システムキッチン等の天板（カウンタートップ）ＣＴの下部に備え付けられた前面引き出し式の食器洗浄機であり、筐体４０（本体）の開口Ｍ（開口部）を介して洗浄槽２０が水平方向にスライドして出し入れされる。洗浄槽２０には、洗浄用の水を貯留する貯水部２０ａが設けられている。
【００２２】
洗浄槽２０は、前面に扉体３５が一体的に設けられている。洗浄槽２０と、洗浄槽２０に一体的に設けられた扉体３５とで、洗浄槽ユニット３６が構成される。
【００２３】
筐体４０内には、洗浄槽２０に水を供給するための給水管４１、給水管４１を開閉して洗浄槽２０への水の供給と停止を切り替える給水電磁弁４４、洗浄槽２０の貯水部２０ａ内の水を排水するための排水管４２、洗浄槽ユニット３６が筐体４０の最奥部付近に収容された収容位置にあることを検知する位置センサ４５（閉塞検知部）、及び洗浄槽２０からの漏水等を検出する電極センサ４６が備えられている。
【００２４】
洗浄槽２０には、Ｗ等の食器を収容した食器かご２１がセットされ、食器に向けて水を噴射する洗浄ノズル２２、洗浄槽２０の貯水部２０ａに貯められた水を加熱するヒータ２３、洗浄槽２０の温度を検出する温度センサ２４、ポンプ２６、及び乾燥ファン２８が備えられている。
【００２５】
ポンプ２６は、正転作動時は洗浄槽２０の貯水部２０ａ内の水を洗浄ノズル２２から噴射して循環させ、逆転作動時には洗浄槽２０の貯水部２０ａ内の水を残菜フィルタ２５及び排水管４２を介して排出する。乾燥ファン２８は、ヒータ２３を作動させた状態で回転作動することにより、温風を洗浄槽２０内に送出して食器を乾燥させる。乾燥ファン２８により洗浄槽２０内に送出された温風は、洗浄槽２０の前面上方の通気口ｅから排気される。
【００２６】
洗浄槽２０の貯水部２０ａと連通管２７を介して接続された水位検出槽３０には、洗浄槽２０の貯水部２０ａに所定水位の水が貯められていることを検出するフロート式の水位センサ３１が設けられている。
【００２７】
扉体３５の上面であって、先端上面よりも１段下がった面には、使用者により操作される操作部５０が配置されている。操作部５０の詳細については後述する。さらに、洗浄槽２０には、食器洗浄機１の全体的な作動を制御するコントローラ１０（制御部）が備えられている。扉体３５の前面には、洗浄槽ユニット３６を出し入れする際に使用者により把持される取手部６０が設けられている。
【００２８】
食器洗浄機１には、洗浄槽ユニット３６を、収容位置（図１参照、閉塞位置）と引出位置（図２参照、開放位置）との間で水平方向にスライド可能に支持するスライド機構（図示せず）が設けられている。
【００２９】
図１に示すように、洗浄槽ユニット３６が筐体４０内に収容された収容位置にあるときは、洗浄槽ユニット３６の扉体３５により、筐体４０の開口Ｍが閉塞された状態となり、位置センサ４５がＯＮ（検知状態）になる。それに対して、図２に示すように、洗浄槽ユニット３６が筐体４０から引き出されているときには、洗浄槽ユニット３６の扉体３５により、筐体４０の開口Ｍが開放された状態となり、位置センサ４５がＯＦＦ（非検知状態）になる。
【００３０】
また、操作部５０は扉体３５の前端部の上面に設けられているため、図１に示すように、洗浄槽ユニット３６が筐体４０内に収容された収容位置にある状態では、操作部５０がシステムキッチンの天板ＣＴ及び筐体４０の天板４０ａによって遮蔽される。そのため、使用者は操作部５０の操作及び視認をすることができない。なお、操作部５０を、システムキッチンの天板ＣＴ及び筐体４０の天板４０ａのいずれか一方によって遮蔽するようにしてもよい。
【００３１】
そこで、食器洗浄機１においては、図２に示すように、洗浄槽ユニット３６が筐体４０から引き出された引出位置にある状態で、使用者が、操作部５０を操作して食器洗浄運転の開始を指示した後に、洗浄槽ユニット３６を筐体４０に押し込むことにより、食器洗浄運転が開始される仕様となっている。
【００３２】
なお、本実施形態においては、洗浄槽２０に収容された食器の洗浄と乾燥を行う運転（食器洗浄運転）と、洗浄槽２０に収容された食器の乾燥のみを行う運転（食器乾燥運転）と、洗浄槽２０及び食器かご２１の洗浄を行う運転（槽内洗浄運転）とを、食器洗浄運転と総称する。
【００３３】
次に、図３を参照して、コントローラ１０（制御部）は、図示しないＣＰＵ、メモリ、インターフェース回路等により構成された電子回路ユニットであり、メモリに保持された食器洗浄機１の制御用プログラムをＣＰＵで実行することにより、一連の食器洗浄運転の処理を実行する運転制御部１１と、食器洗浄運転が中断された一時停止状態であることを報知する一時停止報知部１２として機能する。
【００３４】
コントローラ１０には、温度センサ２４、水位センサ３１、位置センサ４５、及び電極センサ４６の各検知・検出信号が入力される。また、コントローラ１０から駆動回路７０を介して出力される制御信号により、ヒータ２３、ポンプ２６、給水電磁弁４４、及び乾燥ファン２８の作動が制御される。
【００３５】
さらに、コントローラ１０には、操作部５０のスイッチ５１，５３，５４の操作信号が入力される。また、コントローラ１０から操作部５０に出力される制御信号により、コースＬＥＤ５３ａ〜５３ｅ及び予約ＬＥＤ５４ａと、ブザー５５の作動が制御される。
【００３６】
操作部５０には、図４に示したように、食器洗浄運転の開始と一時停止を指示するためのスタートスイッチ５１（本発明の操作スイッチに相当する）、食器洗浄運転のコース（運転工程）を選択するためのコース選択部５２、予約運転を指示するための予約スイッチ５４、及び予約運転が設定されていることを示すための予約ＬＥＤ５４ａが設けられている。
【００３７】
コース選択部５２は、食器洗浄運転のコースの切り替えを指示するためのコース選択スイッチ５３と、選択中のコースを示すコースＬＥＤ５３ａ〜５３ｅとを備えている。使用者がコース選択スイッチ５３を操作する度に、選択される食器洗浄運転のコースが、「標準コース」→「標準＋乾燥２時間コース」→「標準＋ソフト排気コース」→「標準＋ソフト排気＋乾燥２時間コース」→「念入りコース」→「念入り＋乾燥２時間コース」→「念入り＋ソフト排気コース」→「念入り＋ソフト排気＋乾燥２時間コース」→「乾燥コース」→「槽内洗浄コース」→「標準コース」→ … と順次切り替えられる。
【００３８】
「槽内洗浄コース」は、洗浄槽２０や食器かご２１に付着した石灰質成分等を除去するために、食器用洗剤とは異なる槽内洗浄剤（例えばクエン酸を主成分とする洗剤）を用いて、洗浄槽２０内を洗浄するコースである。「槽内洗浄コース」以外のコースは、洗浄槽２０に収容された食器を洗浄又は乾燥するコースである。
【００３９】
ここで、「標準コース」は、「洗浄工程」→「水すすぎ工程」→「加熱すすぎ工程」→「乾燥工程」を実行する基本的なコースである。「標準＋乾燥２時間コース」は、「標準コース」において、乾燥工程の時間を２時間に変更したコースである。
【００４０】
「標準＋ソフト排気コース」は、「標準コース」において、乾燥工程で通気口ｅから排気される温風の温度を４０℃に抑えるコースである。「標準＋ソフト排気＋乾燥２時間コース」は、「標準コース」において、乾燥工程の時間を２時間に変更すると共に乾燥工程で通気口ｅから排気される温風の温度を４０℃に抑えるコースである。
【００４１】
また、「念入りコース」、「念入り＋乾燥２時間コース」、「念入り＋ソフト排気コース」、及び「念入り＋ソフト排気＋乾燥２時間コース」は、「標準コース」、「標準＋乾燥２時間コース」、「標準＋ソフト換気コース」、及び「標準＋ソフト換気＋乾燥２時間コース」において、それぞれ加熱すすぎ工程におけるすすぎ水の加熱温度を８０℃に設定するコースである。「乾燥コース」は、乾燥工程のみを実行するコースである。
【００４２】
「槽内洗浄コース」は、洗浄工程において洗浄水を「標準コース」よりも高温に加温すること以外は、「標準コース」と同様である。
【００４３】
コントローラ１０は、選択されているコースに応じて、コースＬＥＤ５３ａ〜５３ｅ（標準ＬＥＤ５３ａ、念入りＬＥＤ５３ｂ、乾燥ＬＥＤ５３ｃ、槽内洗浄５３ｄ、ソフト排気ＬＥＤ５３ｅ）の点灯と消灯を切り替える。
【００４４】
例えば、「標準コース」が選択されているときには、コントローラ１０は標準ＬＥＤ５３ａのみを点灯して他のＬＥＤ５３ｂ〜５３ｅを消灯する。また、「標準＋乾燥２時間コース」が選択されているときは、コントローラ１０は、標準ＬＥＤ５３ａ及び乾燥ＬＥＤ５３ｃを点灯して、他のＬＥＤ５３ｂ，５３ｄ，５３ｅを消灯する。
【００４５】
コントローラ１０は、食器洗浄機１の設置時等に電源接続部（図示しない）が商用電源に接続されて、電源スイッチ（図示しない）がＯＮ状態とされたときに作動を開始する。コントローラ１０は、洗浄槽ユニット３６が筐体４０から引き出されて、位置センサ４５がＯＦＦ（収容位置にあることが検知されない状態）になったときに、食器洗浄運転の初期選択コースである「標準コース」を選択して標準ＬＥＤ５３ａを点灯する。
【００４６】
コントローラ１０は、洗浄槽ユニット３６が引き出されて、ＬＥＤ５３ａ〜５３ｅ，５４ａのいずれが点灯しているときに、使用者によりスタートスイッチ５１が長押し操作されたときには、全てのＬＥＤ５３ａ〜５３ｅ，５４ａを消灯する。このように、全てのＬＥＤ５３ａ〜５３ｅ，５４ａが消灯した状態であるときに、使用者がスイッチ５１，５３，５４のいずれか操作すると、コントローラ１０は、操作に応じてＬＥＤ５３ａ〜５３ｅ，５４ａのいずれかを点灯する。
【００４７】
次に、図５に示したフローチャートに従って、運転制御部１１により実行される食器洗浄運転の一連の処理について説明する。
【００４８】
運転制御部１１は、ＳＴＥＰ１で位置センサがＯＦＦである状態（洗浄槽ユニット３６が筐体４０から引き出されて、収容位置にあることが検知されない状態）で、続くＳＴＥＰ２でスタートスイッチ５１がＯＮするのを待つ。そして、使用者の操作によってスタートスイッチ５１がＯＮしたときにＳＴＥＰ３に進み、位置センサ４５がＯＮ（洗浄槽ユニット３６が筐体４０に押し込まれて、収容位置にあることが検知される状態）に切り替わるのを待つ。
【００４９】
ＳＴＥＰ３で位置センサ４５がＯＮしたときにＳＴＥＰ４に進み、運転制御部１１は食器洗浄運転を開始する。このように、ＳＴＥＰ１，ＳＴＥＰ３により、位置センサ４５がＯＦＦからＯＮに切り替わったことが確認できたときは、位置センサ４５が正常に動作していると判断することができる。そのため、位置センサ４５が故障した状態で、食器洗浄運転が開始されることを防止することができる。
【００５０】
続くＳＴＥＰ５で、運転制御部１１は、食器洗浄運転の運転終了条件（選択されているコースの全工程が終了すること）が成立したか否かを判断する。そして、運転終了条件が成立したときはＳＴＥＰ６に進み、運転制御部１１は、食器洗浄運転を終了する。
【００５１】
一方、ＳＴＥＰ５で運転終了条件が成立していないときにはＳＴＥＰ１０に分岐し、運転制御部１１は、位置センサ４５がＯＦＦしているか否かを判断する。そして、位置センサ４５がＯＦＦしているとき、すなわち、使用者が洗浄槽ユニット３６を筐体４０から引き出したときたときはＳＴＥＰ２２に進み、運転制御部１１は、食器洗浄運転を中断して一時停止状態とする。
【００５２】
また、ＳＴＥＰ１０で位置センサ４５がＯＮであるときにはＳＴＥＰ２０に分岐し、運転制御部１１は、スタートスイッチ５１がＯＮしたか否かを判断する。ここで、位置センサ４５が正常に動作していれば、位置センサ４５がＯＮ状態であるときには、洗浄槽ユニット３６が筐体４０内に収納されているため、使用者は操作部５０のスタートスイッチ５１を操作することができない。
【００５３】
そのため、ＳＴＥＰ１０で位置センサ４５がＯＮ状態であって、ＳＴＥＰ２０でスタートスイッチ５１が操作されたときには、例えば、使用者が洗浄槽ユニット３６を筐体４０から引き出して食器洗浄運転を中断させようとしたが、位置センサ４５が故障していてＯＮ状態が維持された状況で、使用者がスタートスイッチ５１を操作したと判断することができる。この場合、コントローラ１０は、異常であることを検知する。
【００５４】
コントローラ１０は、異常であることを検知すると、ＳＴＥＰ２１で、駆動回路７０を介してポンプ２６に逆転制御信号を出力し、ポンプ２６を逆回転作動させ、洗浄槽２０の貯水部２０ａ内の水を残菜フィルタ２５及び排水管４２を介して排出させる水排出制御を行う。これにより、洗浄槽２０の貯水部２０ａ内に水が貯留され続けることがなくなり、衛生的に良い状態となる。さらに、洗浄槽２０の貯水部２０ａ内の水が洗浄ノズル２２から噴射されることがなくなるので、食器洗浄機１の周囲に水が飛び散るのを防止することができる。
【００５５】
また、洗浄槽２０の貯水部２０ａ内の水が排出されるので、洗浄槽２０を筐体４０内に収容させるようにスライドさせるときに、洗浄槽２０から水がこぼれることがなく衛生的に良い状態を保つことができる。さらに、洗浄槽２０の貯水部２０ａ内に水が貯留されている場合に比べて、洗浄槽ユニット３６を筐体４０内に収容させるようにスライドさせるときにスライド機構にかかる負荷が小さくなり、故障の発生を抑制することができる。
【００５６】
ＳＴＥＰ２１に平行して、運転制御部１１は、ＳＴＥＰ２２として、食器洗浄運転を中断して一時停止状態とする。これにより、位置センサ４５の故障により、食器洗浄運転を停止することが不能となることを防止することができる。
【００５７】
本実施形態では、ＳＴＥＰ２１においてポンプ２６を逆回転させているので、洗浄槽２０の貯水部２０ａ内の水が洗浄ノズル２２から噴射されることはないが、例えば、ポンプ２６とは別に噴射用のポンプを備えたものでは、食器洗浄運転を停止することで、洗浄槽２０の貯水部２０ａ内の水が洗浄ノズル２２から噴射されることがなくなる。これにより、食器洗浄機１の周囲に水が飛び散るのを抑制することができる。なお、ＳＴＥＰ２２は、実行しないようにしてもよい。
【００５８】
ＳＴＥＰ２０でスタートスイッチ５１が操作されなかったときにはＳＴＥＰ５に戻り、食器洗浄運転が継続される。
【００５９】
一時停止報知部１２は、ＳＴＥＰ２２で食器洗浄運転が中断されたときに、ブザー５５を鳴動させて報知を行う。なお、ＳＴＥＰ１０で位置センサ４５がＯＦＦしたことによりＳＴＥＰ２２で食器洗浄運転が中断された場合（位置センサ４５は正常に動作している）と、ＳＴＥＰ２０でスタートスイッチ５１がＯＮしたことによりＳＴＥＰ２２で食器洗浄運転が中断された場合（位置センサ４５がＯＮ故障している）とで、一時停止報知部１２による報知内容を変えることによって、使用者に位置センサ４５が故障していることを認識させるようにしてもよい。
【００６０】
なお、本実施形態では、図５のＳＴＥＰ２０で、食器洗浄運転の実行中にスタートスイッチ５１が操作されたときには、ＳＴＥＰ２１及びＳＴＥＰ２２に進んで食器洗浄運転を中断させるようにしたが、スタートスイッチ５１に限定せず、操作部５０に設けられた複数のスイッチ（スタートスイッチ５１、コース選択スイッチ５３、及び予約スイッチ５４）のいずれかが操作されたときに、食器洗浄運転を中断させるようにしてもよい。
【００６１】
また、上記実施形態では、ポンプ２６は、正転作動時は洗浄槽２０の貯水部２０ａ内の水を洗浄ノズル２２から噴射して循環させ、逆転作動時には洗浄槽２０の貯水部２０ａ内の水を残菜フィルタ２５及び排水管４２を介して排出するが、ポンプは、少なくとも作動時に、洗浄槽２０の貯水部２０ａ内の水を排出することができればよい。この場合には、洗浄槽２０の貯水部２０ａ内の水を洗浄ノズル２２から噴射して循環させるための噴射ポンプが別に設けられる。噴射ポンプが設けられたものでも、ＳＴＥＰ２１において、洗浄槽２０の貯水部２０ａ内の水を残菜フィルタ２５及び排水管４２を介して排出するように制御することで、ＳＴＥＰ２２が行われず、噴射ポンプの作動が継続された場合でも、洗浄槽２０の貯水部２０ａ内の水が全て排出されると、洗浄ノズル２２から水が噴射されることがなくなる。
【００６２】
上記実施形態では、食器洗浄運転中に、ＳＴＥＰ１０で位置センサ４５がＯＮ状態であって、ＳＴＥＰ２０でスタートスイッチ５１が操作されたときに、ＳＴＥＰ２１として、ポンプ２６を逆回転作動させ、洗浄槽２０の貯水部２０ａ内の水を残菜フィルタ２５及び排水管４２を介して排出しているが、食器洗浄運転中でないときにも、位置センサ４５がＯＮ状態であって、スタートスイッチ５１が操作されたときに、ＳＴＥＰ２１を行うようにしてもよい。これにより、例えば、故障により、食器洗浄運転が終了しても、洗浄槽２０の貯水部２０ａ内に水が貯留されている状態であっても、排水することができる。
【００６３】
また、水位センサ３１により、洗浄槽２０の貯水部２０ａに所定水位の水が貯められていることを検出されている場合のみ、ＳＴＥＰ２１を行うようにしてもよい。この場合、使用者により上記所定水位を変更可能にしてもよい。
【００６４】
さらに、位置センサ４５がＯＮ状態であって、スタートスイッチ５１が操作されたときの状況によって、ポンプ２６による排水速度を変えるようにしてもよい。例えば、食器洗浄運転中の場合には、最高速で排水し、食器洗浄運転中でない場合には、最高速の半分程度の速度で排水するようにポンプ２６を駆動する。
【００６５】
また、食器洗浄運転で実行しているコースに応じて、ポンプ２６による排水速度を変えるようにしてもよい。例えば、「標準コース」の場合には、最高速で排水し、「乾燥コース」の場合には、最高速の半分程度の速度で排水するようにポンプ２６を駆動する。
【００６６】
上記実施形態では、スライド式の洗浄槽を備える前面引き出し式の食器洗浄機に本発明を実施しているが、上記したフロントオープン式の食器洗浄機に実施してもよい。フロントオープン式の食器洗浄機では、貯水部は本体内に設けられ、水排出制御では、本体内に設けられた貯水部内の水を排出する。
【符号の説明】
【００６７】
１…食器洗浄機、１０…コントローラ（制御部）、１１…運転制御部、１２…一時停止報知部、２０…洗浄槽、２０ａ…貯水部、２２…洗浄ノズル、２６…ポンプ、３５…扉体、３６…洗浄槽ユニット、４０…筐体（本体）、４５…位置センサ（閉塞検知部）、５０…操作部
【図１】
2019136193.tif 000003
【図２】
2019136193.tif 000004
【図３】
2019136193.tif 000005
【図４】
2019136193.tif 000006
【図５】
2019136193.tif 000007